【手続補正書】
【提出日】平成17年4月13日(2005.4.13)
【手続補正１】
【補正対象書類名】明細書
【補正対象項目名】特許請求の範囲
【補正方法】変更
【補正の内容】
【特許請求の範囲】
【請求項１】
流体ダンパー、とくに家具の可動部分のための流体ダンパーにおいて、すなわち、シリンダーを１つとその中を線形に動かすことができるピストンを１つとを持ち、このピストンはシリンダー内に収められたダンパー液のための通過口を少なくとも１つ備え、またこの単数または複数の通過口領域に、動かすことができるリングディスクを少なくとも１つ持つ上記の流体ダンパーにおいて、少なくとも１つのリングディスク（８、９、１０、１１）が、ピストン（３）の緩衝ストロークの際、ピストン（３）の通過口（１５）の少なくとも一部を覆うように配置されていることを特徴とする、上記の流体ダンパー。
【請求項２】
少なくとも２つのリングディスク（８、９）が設けられ、その際少なくとも１つのリングディスク（８、９）にダンパー液のための通過口（１５）を設けられていることを特徴とする、請求項１に記載の流体ダンパー。
【請求項３】
３つのリングディスク（８、９、１０）が設けられ、そのうち２つが、ダンパー液のための通過口（１５）を備えることを特徴とする、請求項２に記載の流体ダンパー。
【請求項４】
単数または複数のリングディスク（８、９、１０、１１）が、緩衝ストロークの際ピストン（３）の前方となる側に配置されていることを特徴とする、請求項１〜３のいずれかに記載の流体ダンパー。
【請求項５】
ピストン（３）がピストンロッド（４）を備えることと、単数または複数のリングディスク（８、９、１０、１１）が、ピストンの（３）ピストンロッドと反対側に配置されていることを特徴とする、請求項１〜４のいずれかに記載の流体ダンパー。
【請求項６】
単数または複数のリングディスク（８、９、１０、１１）が、緩衝ストロークの際柔軟に屈曲可能であることを特徴とする、請求項１〜５のいずれかに記載の流体ダンパー。
【請求項７】
複数のリングディスク（８、９、１０、１１）の剛性がさまざまに異なることを特徴とする、請求項６に記載の流体ダンパー。
【請求項８】
各リングディスク（８、９、１０、１１）の厚さ（Ｄ）がさまざまに異なることを特徴とする、請求項７に記載の流体ダンパー。
【請求項９】
ピストン（３）の緩衝ストロークの際に、リングディスク（９、１０、１１）が、それぞれその背後にあるリングディスク（８、９、１０、１１）の通過口（１５）の少なくとも一部を覆うように、リングディスク（８、９、１０、１１）を配置していることを特徴とする、請求項１〜８のいずれかに記載の流体ダンパー。（訳注：リングディスクの覆う方は８、９、１０で、覆われる方は９、１０、１１ではないかと思われますが、一応原文通りに記載します。次の請求項も同じ）
【請求項１０】
ピストン（３）の緩衝ストロークの際に、屈曲されたリングディスク（８、９、１０、１１）が、それぞれその背後にあるリングディスク（９、１０、１１）の通過口（１５）の少なくとも一部を覆うことを特徴とする、請求項９に記載の流体ダンパー。
【請求項１１】
リングディスク（８、９、１０、１１）に設けられる通過口（１５）の個数が、緩衝動作の際のピストン（３）の運動方向において前方から後方になるほど増加することを特徴とする、請求項１〜１０のいずれかに記載の流体ダンパー。
【請求項１２】
緩衝動作時のピストンの運動方向に見て、ピストン（３）の前に１つのリングディスク（８）を設け、このリングディスクは通過口（１５）を持たないことを特徴とする、請求項１〜１１のいずれかに記載の流体ダンパー。
【請求項１３】
これら前方にあるリングディスク（８、９、１０）は柔軟に屈曲可能であることを特徴とする、請求項１２に記載の流体ダンパー。
【請求項１４】
柔軟に屈曲可能なリングディスク（８、９、１０、１１）はすべてゴムまたはプラスチック素材から製造されていることを特徴とする、請求項１〜１３のいずれかに記載の流体ダンパー。
【請求項１５】
柔軟に屈曲可能なリングディスク（８、９、１０、１１）とシリンダー壁（１３）の間にリング状空隙（１４）が存在することを特徴とする、請求項１〜１４のいずれかに記載の流体ダンパー。
【請求項１６】
ピストン（３）にピン（２１）が設けられ、このピンにリングディスク（８、９、１０、１１）が、軸方向にスライド可能な状態で取り付けられていることを特徴とする、請求項１〜１５のいずれかに記載の流体ダンパー。
【請求項１７】
リングディスク（８、９、１０）がハブ領域にリング状突起（１８、１９、２０）を備えることを特徴とする、請求項１〜１６のいずれかに記載の流体ダンパー。
【請求項１８】
スプリング（２４，２５，２６）が設けられ、このスプリングはピストン（３）がニュートラル位置にあるとき、リングディスク（８、９、１０）とピストン（３）との間およびリングディスク相互の間に間隔を生じることを特徴とする、請求項１〜１７のいずれかに記載の流体ダンパー。
【請求項１９】
スプリング（２４、２５、２６）がさまざまに異なる強さを持つことを特徴とする、請求項１８に記載の流体ダンパー。
【請求項２０】
もっとも弱いスプリング（２６）がピストン（３）に、もっとも強いスプリング（２４）がもっとも前方のリングディスク（８）の後ろに配置されていることを特徴とする、請求項１９に記載の流体ダンパー。
【請求項２１】
リングディスク（８、９、１０）の円周側にリング状突起（２７）が設けられていることを特徴とする、請求項１〜２０のいずれかに記載の流体ダンパー。
【請求項２２】
ピン（２１）に複数のリングディスク（８、９、１０、１１）が取り付けられ、その際ピストン（３）の直接前に扁平なリングディスク（１１）が取り付けられ、このリングディスクはピン上を自由にスライド可能であるが、そのほかのリングディスク（８、９、１０）はハブ領域にリング状突起（１８、１９、２０）を設けられ、そして／またはスプリング（２４、２５、２６）によって隣接するディスク（８、９、１０、１１）との間に間隔を取っていることを特徴とする、請求項１６に記載の流体ダンパー。
【請求項２３】
ピストン（２）に３つの動かすことができるリングディスク（８、９、１０、１１）が設けられていることと、ピストン（３）の緩衝運動の方向においてもっとも前方にある第１のリングディスク（８）は通過口を備えず、それに続く第２のリングディスク（９）は通過口（１５）を１つ、第３のリングディスク（１０）は通過口（１５）を２つ備えることを特徴とする、請求項１〜２２のいずれかに記載の流体ダンパー。
【請求項２４】
扁平なリングディスク（１１）の通過口（１５）の断面積合計は、ピストン（３）の通過口（１５）の断面積合計のほぼ半分の大きさであることを特徴とする、請求項２２または２３に記載の流体ダンパー。
【請求項２５】
シリンダー室（２）と接続された少なくとも１つのサイドチャンバー（１６）が、シリンダー壁（１３）内に設けられており、このシリンダー室の中をピストン（３）が案内されることを特徴とする、請求項１〜７のいずれかに記載の流体ダンパー。
【請求項２６】
流体ダンパーはダンピング処理完了後にピストン（３）を作動位置に戻すスプリング（７）を含んでいることを特徴とする請求項１〜２５のいずれかに記載の流体ダンパー。
【請求項２７】
リング状空隙（２３）はピストン（３）とシリンダー（１）の内側シリンダー壁（１３）との間に提供されていることを特徴とする請求項１〜２６のいずれかに記載の流体ダンパー。